(57)【要約】      （修正有）【課題】トレッドミルを折畳むことができるトレッドミル用の折畳みフレームを提供する。【解決手段】トレッドミル用の折畳みフレームＡは、支持台１０と、２本のスタンド２０と、ハンドル３０と、複数のファスナー４０とを有する。その内、支持台は、ベース１１を備え、ベースの前端両側に２つの挿設部１２が設けられ、２本のスタンドはそれぞれ、下端を介して支持台の挿設部に枢設され、ハンドルは、前端両側の底面にそれぞれ枢転部が延設され、枢転部を介してスタンドの上端に枢設され、一方のファスナーは、支持台の挿設部及びスタンドの下端に螺合され、他方のファスナーは、スタンドの上端及びハンドルの枢転部に螺合されるものである。【選択図】図１
0003191898.tif 000002
【実用新案登録請求の範囲】
【請求項１】
支持台と、２本のスタンドと、ハンドルと、複数のファスナーとを有し、
その内、前記支持台は、ベース及び２つの挿設部を備え、該挿設部は、管状を呈し、ベースの前端両側の上面に設けられ、後面に逃し下開口が、前面に下貫通穴が形成され、
前記２本のスタンドはそれぞれ、細長状の管体であり、支持台の挿設部に枢設され、下端に第一端が設けられ、上端に第二端が設けられ、該第一端が挿設部に挿し込まれ、該挿設部の下貫通穴と対応する箇所に下螺合穴が形成され、該第二端の前面に逃し上開口が形成され、後面に上貫通穴が形成され、
前記ハンドルは、前端両側の底面にそれぞれ枢転部が延設され、該枢転部がスタンドの第二端に枢設され、該枢転部の後面にスタンドの上貫通穴と対応する上螺合穴が形成され、
一方の前記ファスナーは、挿設部の下貫通穴を通過して第一端の下螺合穴に螺合され、他方の前記ファスナーは、第二端の上貫通穴を通過して枢転部の上螺合穴に螺合されることを特徴とするトレッドミル用の折畳みフレーム。
【請求項２】
前記第一端の外径がスタンドの外径より小さく、また、該第一端の近傍に挿設部の上端に当接する凸縁が設けられることを特徴とする請求項１に記載のトレッドミル用の折畳みフレーム。
【請求項３】
前記ハンドルの前端両側の底面にそれぞれ延出管が延設され、該延出管の下端に前記枢転部が延設され、該枢転部の外径が延出管の外径より小さく、該枢転部と延出管の間に当接縁部が設けられ、該ハンドルの枢転部がスタンドの第二端に挿し込むように枢設され、該当接縁部がスタンドの上端に当接されることを特徴とする請求項２に記載のトレッドミル用の折畳みフレーム。
【請求項４】
前記ファスナーの一端にねじ段を形成する固定端が設けられ、
一方の該ファスナーが固定端を介して下螺合穴に螺合され、他方の該ファスナーが固定端を介して上螺合穴に螺合されることを特徴とする請求項１または２に記載のトレッドミル用の折畳みフレーム。
【請求項５】
前記支持台の挿設部が矩形を呈すると共に、前記スタンドが矩形を呈することを特徴とする請求項４に記載のトレッドミル用の折畳みフレーム。
【考案の詳細な説明】
【技術分野】
【０００１】
本考案は、特にトレッドミルを折畳むことができるトレッドミル用のフレームに関するものである。
【背景技術】
【０００２】
図７に示すように、既存のトレッドミルの支持フレーム７０は、ベース７１及び２本のスタンド７２を備え、その内、該ベース７１は、前端両側にそれぞれガイドタブ７１１が設けられ、該ガイドタブ７１１にレール７１２が形成され、該スタンド７２は、ベース７１の前端両側に設置され、回転軸７２１がガイドタブ７１１のレール７１２を通過するようにスタンド７２の下端に取り付けられ、スタンド７２が回転軸７２１によって枢転可能にベース７１の前端に取り付けられる。スタンド７２が回転軸７２１を介してレール７１２に沿って下方へ枢転すると、スタンド７２がベース７１に接近しながら折り畳むことができる。その構造を有すれば、トレッドミルの体積を縮小して搬送することが簡単になる。
【考案の概要】
【考案が解決しようとする課題】
【０００３】
しかしながら、既存のトレッドミル用の折畳みフレームは、ガイドタブや回転軸などの部材を備え、これらの部材がそれぞれベース及びスタンドに取り付けることから、部材が多くて構造が複雑で、フレームの組み立てが面倒であり、生産コストも高くなり、改良する必要があった。
【課題を解決するための手段】
【０００４】
上述した問題を解決するために、本考案に係るトレッドミル用の折畳みフレームは、支持台と、２本のスタンドと、ハンドルとを有し、
その内、前記支持台は、ベース及び２つの挿設部を備え、該挿設部は、管状を呈し、ベースの前端両側の上面に設けられ、後面に逃し下開口が、前面に下貫通穴が形成され、
前記２本のスタンドはそれぞれ、細長状の管体であり、支持台の挿設部に枢設され、下端に第一端が設けられ、上端に第二端が設けられ、該第一端が挿設部に挿し込まれ、該挿設部の下貫通穴と対応する箇所に下螺合穴が形成され、該第二端の前面に逃し上開口が形成され、後面に上貫通穴が形成され、
前記ハンドルは、前端両側の底面にそれぞれ枢転部が延設され、該枢転部がスタンドの第二端に枢設され、該枢転部の後面にスタンドの上貫通穴と対応する上螺合穴が形成され、
一方の前記ファスナーは、挿設部の下貫通穴を通過して第一端の下螺合穴に螺合され、他方の前記ファスナーは、第二端の上貫通穴を通過して枢転部の上螺合穴に螺合されるものを提供する。
【０００５】
かかるトレッドミル用の折畳みフレームにおいて、前記第一端の外径がスタンドの外径より小さくし、また、該第一端の近傍に挿設部の上端に当接する凸縁が設けられることが好ましい。
【０００６】
かかるトレッドミル用の折畳みフレームにおいて、前記ハンドルの前端両側の底面にそれぞれ延出管が延設され、該延出管の下端に前記枢転部が延設され、該枢転部の外径が延出管の外径より小さくし、該枢転部と延出管の間に当接縁部が設けられ、該ハンドルの枢転部がスタンドの第二端に挿し込むように枢設され、該当接縁部がスタンドの上端に当接されることが好ましい。
【０００７】
かかるトレッドミル用の折畳みフレームにおいて、前記ファスナーの一端にねじ段を形成する固定端が設けられ、
一方の該ファスナーが固定端を介して下螺合穴に螺合され、他方の該ファスナーが固定端を介して上螺合穴に螺合されることが好ましい。
【０００８】
かかるトレッドミル用の折畳みフレームにおいて、前記支持台の挿設部が矩形を呈すると共に、前記スタンドが矩形を呈することが好ましい。
【図面の簡単な説明】
【０００９】
【図１】本考案に係るトレッドミル用の折畳みフレームの斜視図である。
【図２】本考案に係るトレッドミル用の折畳みフレームの部分拡大断面図である。
【図３】本考案に係るトレッドミル用の折畳みフレームの部分拡大斜視図である。
【図４】本考案に係るトレッドミル用の折畳みフレームの部分拡大斜視図である。
【図５】本考案に係るトレッドミル用の折畳みフレームにおいて、折畳み操作を示す側面視平面図である。
【図６】本考案に係るトレッドミル用の折畳みフレームにおいて、折畳み操作を示す側面視平面図である。
【図７】既存のトレッドミルの支持フレームの斜視図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１乃至図４に示すように、本考案に係るトレッドミル用の折畳みフレームは、フレームＡは、支持台１０と、２本のスタンド２０と、ハンドル３０と、複数のファスナー４０とを有する。
【００１２】
図１及び図２に示すように、前記支持台１０は、ベース１１及び２つの挿設部１２を備え、該ベース１１は、Ｕ字形を呈し、床に配置され、該挿設部１２は、ベース１１の前端両側の上面に設けられ、矩形を呈する中空管体であり、後面に逃し下開口１２１が形成され、前面に下貫通穴１２２が形成される。
【００１３】
図２及び図３に示すように、前記２本のスタンド２０はそれぞれ、支持台１０の挿設部１２に枢設され、矩形を呈する細長状の中空管体であり、下端にスタンド２０の外径より小さい外径を備える第一端２１が設けられ、上端に第二端２２が設けられ、該第一端２１の近傍に凸縁２３が設けられ、該第一端２１の前面に挿設部１２の下貫通穴１２２と対応するように下螺合穴２１１が形成され、該下螺合穴２１１は、ねじ穴である。
スタンド２０を支持台１０に組み立てる時に、第一端２１が挿設部１２に挿し込まれ、凸縁２３が挿設部１２の上端に当接され、枢転軸２４が第一端２１及び挿設部１２を通過するように取り付けられ、これによれば、スタンド２０が枢転軸２４を軸心として支持台１０に対して下後方へ枢転して下貫通穴１２２まで移動することができる。また、該スタンド２０の第二端２２の前面に逃し上開口２２１が形成され、後面に上貫通穴２２２が形成される。
【００１４】
図１、図２及び図４に示すように、前記ハンドル３０は、Ｕ字形を呈し、前端両側の底面にそれぞれ延出管３１が延設され、該延出管３１の下端に枢転部３２が延設され、該枢転部３２の外径が延出管３１の外径より小さくし、該枢転部３２の後面にスタンド２０の上貫通穴２２２と対応する上螺合穴３２１が形成され、該上螺合穴３２１は、ねじ穴であり、該枢転部３２と延出管３１の間に当接縁部３３が設けられる。
ハンドル３０をスタンド２０に組み立てる時に、枢転部３２がスタンド２０の第二端２２に挿し込むように枢設され、当接縁部３３がスタンド２０の上端に当接され、枢転軸３４が枢転部３２及び第二端２２を通過するように取り付けられ、これによれば、ハンドル３０が枢転軸３４を軸心としてスタンド２０に対して下前方へ枢転して逃し上開口２２１まで移動することができる。
【００１５】
図２及び図４に示すように、前記ファスナー４０は、一端にねじ段を形成する固定端４１を備えるものであり、一方のファスナー４０は、固定端４１により挿設部１２の下貫通穴１２２を通過して第一端２１の下螺合穴２１１に螺合され、他方のファスナー４０は、固定端４１により第二端２２の上貫通穴２２２を通過して枢転部３２の上螺合穴３２１に螺合され、このため、スタンド２０を支持台１０に、ハンドル３０をスタンド２０に組み立てることができる。
【００１６】
図５に示すように、フレームＡを折り畳む時に、第二端２２及び枢転部３２に取り付けたファスナー４０を取り外して、スタンド２０を前下方へ枢転して折り畳むことができる。また、図６に示すように、第一端２１及び挿設部１２に取り付けたファスナー４０を取り外して、スタンド２０及びハンドル３０が支持台１０に向かうように、下後方へ枢転してスタンド２０及びハンドル３０を支持台１０に重ねて折り畳むことができる。
【００１７】
上述したように、本考案に係るトレッドミル用の折畳みフレームにおいて、枢転可能な折り畳み構造が直接に支持台１０、スタンド２０、ハンドル３０に形成されることから、部品の数量を減少すると共に、トレッドミル用の折畳みフレームを簡単に折り畳むことができ、さらに、生産コストも節約することができる。
【符号の説明】
【００１８】
１０    支持台
１１    ベース
１２    挿設部
１２１  逃し下開口
１２２  下貫通穴
２０    スタンド
２１    第一端
２１１  下螺合穴
２２    第二端
２２１  逃し上開口
２２２  上貫通穴
２３    凸縁
２４    枢転軸
３０    ハンドル
３１    延出管
３２    枢転部
３２１  上螺合穴
３３    当接縁部
４０    ファスナー
４１    固定端
７０    支持フレーム
７１    ベース
７２    スタンド
７１１  ガイドタブ
７１２  レール
７２    スタンド
７２１  回転軸
【図１】
0003191898.tif 000003
【図２】
0003191898.tif 000004
【図３】
0003191898.tif 000005
【図４】
0003191898.tif 000006
【図５】
0003191898.tif 000007
【図６】
0003191898.tif 000008
【図７】
0003191898.tif 000009